【手続補正書】
【提出日】平成16年11月2日(2004.11.2)
【手続補正１】
【補正対象書類名】明細書
【補正対象項目名】特許請求の範囲
【補正方法】変更
【補正の内容】
【特許請求の範囲】
【請求項１】
パケット中継装置を介してネットワーク網と接続された端末装置であって、上記パケット中継装置に対して所定のパケットを送信するパケット送信手段と、上記パケット中継装置から送信される所定のパケットを受信するパケット受信手段と、上記パケット中継装置から上記パケット受信手段に送信されるパケットの送信スケジュールを規定するパケット送信プログラムを記憶する記憶手段と、上記記憶手段に記憶されている上記パケット送信プログラムを読み出す読み出し手段とを備え、上記パケット送信手段は、上記読み出し手段によって読み出されたパケット送信プログラムを上記パケット中継装置に送信することを特徴とする端末装置。
【請求項２】
パケット中継装置を介してネットワーク網と接続された端末装置であって、上記パケット中継装置から送信される所定のパケットを受信するパケット受信手段と、上記パケット中継装置から上記パケット受信手段に送信される上記所定のパケットの送信スケジュールを規定するパケット送信プログラムを特定する識別子データを入力する入力手段と、上記入力手段によって入力された識別子データを上記パケット中継装置に送信する識別子データ送信手段とを備えることを特徴とする端末装置。
【請求項３】
ネットワーク網と端末装置との接続を中継するパケット中継装置であって、上記端末装置にパケットを送信するパケット送信手段と、上記端末装置に送信するパケットの送信スケジュールを規定するパケット送信プログラムを取得するパケット送信プログラム取得手段と、上記パケット送信プログラム取得手段で取得したパケット送信プログラムに基づいて、上記パケット送信手段で送信されるパケットのスケジューリングを制御する制御手段を備えることを特徴とするパケット中継装置。
【請求項４】
上記端末装置から送信されるパケット送信プログラムを受信するパケット送信プログラム受信手段を備え、上記パケット送信プログラム取得手段は、上記パケット送信プログラム受信手段によって受信したパケット送信プログラムを取得することを特徴とする請求項３記載のパケット中継装置。
【請求項５】
上記端末装置から送信されるパケット送信プログラムを特定する識別子データを受信する識別子データ受信手段を備え、上記パケット送信プログラム取得手段は上記識別子データ受信手段で受信した識別子データで特定される上記パケット送信プログラムを取得することを特徴とする請求項３記載のパケット中継装置。
【請求項６】
上記識別子データに対応した上記パケット送信プログラムを複数記憶する記憶手段と、上記パケット送信プログラム取得手段は、上記識別子データ受信手段によって受信した識別子データに基づいて上記記憶手段から上記識別子データに対応したパケット送信プログラムを取得することを特徴とする請求項５記載のパケット中継装置。
【請求項７】
上記パケット送信プログラム取得手段は、上記識別子データ受信手段で受信した識別子データに基づいて、上記ネットワーク網に接続された外部装置に記憶されている上記識別子データに対応したパケット送信プログラムを取得することを特徴とする請求項５記載のパケット中継装置。
【請求項８】
パケット中継装置を介してネットワーク網と接続された端末装置のパケット送信プログラム送信方法であって、記憶手段に記憶されている上記パケット中継装置から当該端末装置に送信されるパケットの送信スケジュールを規定するパケット送信プログラムを読み出す読み出しステップと、上記読み出されたパケット送信プログラムを上記パケット中継装置に送信するパケット送信プログラム送信ステップとを備えることを特徴とするパケット送信プログラム送信方法。
【請求項９】
パケット中継装置を介してネットワーク網と接続された端末装置のパケット送信プログラム指定方法であって、上記パケット中継装置から当該端末装置に送信されるパケットの送信スケジュールを規定するパケット送信プログラムを特定する識別子データを入力する入力ステップと、上記入力された識別子データを上記パケット中継装置に送信する識別子データ送信ステップとを備えることを特徴とするパケット送信プログラム指定方法。
【請求項１０】
ネットワーク網と端末装置との接続を中継するパケット中継装置のパケット送信方法であって、上記端末装置へ送信するパケットの送信スケジュールを規定するパケット送信プログラムを取得するパケット送信プログラム取得ステップと、上記パケット送信プログラム取得ステップで取得したパケット送信プログラムに基づいて、上記端末装置へ送信するパケットのスケジューリングを制御する制御ステップを備えることを特徴とするパケット送信方法。
【請求項１１】
パケット中継装置を介してネットワーク網と接続された端末装置からパケット送信プログラムを送信するためのプログラムを記録した記録媒体であって、記憶手段に記憶されている上記パケット中継装置から上記端末装置に送信されるパケットの送信スケジュールを規定するパケット送信プログラムを読み出す読み出しステップと、上記読み出されたパケット送信プログラムを上記パケット中継装置に送信するパケット送信プログラム送信ステップとを備えることを特徴とするプログラムを記録した記録媒体。
【請求項１２】
パケット中継装置を介してネットワーク網と接続された端末装置からパケット送信プログラムを指定するためのプログラムを記録した記録媒体であって、上記パケット中継装置から上記端末装置に送信されるパケットの送信スケジュールを規定するパケット送信プログラムを特定する識別子データを入力する入力ステップと、上記入力された識別子データを上記パケット中継装置に送信する識別子データ送信ステップとを備えることを特徴とするプログラムを記録した記録媒体。
【請求項１３】
ネットワーク網と端末装置との接続を中継するパケット中継装置のパケット送信を制御するためのプログラムを記録した記録媒体であって、上記端末装置へ送信するパケットの送信スケジュールを規定するパケット送信プログラムを取得するパケット送信プログラム取得ステップと、上記パケット送信プログラム取得ステップで取得したパケット送信プログラムに基づいて、上記端末装置へ送信するパケットのスケジューリングを制御する制御ステップを備えることを特徴とするプログラムを記録した記録媒体。
【請求項１４】
パケット中継装置と、端末装置とを備え、ネットワーク網に上記パケット中継装置を介して上記端末装置が接続されるネットワーク中継システムであって、上記端末装置は、上記パケット中継装置から送信される所定のパケットを受信するパケット受信手段と、上記パケット中継装置から上記パケット受信手段に送信されるパケットの送信スケジュールを規定するパケット送信プログラムを記憶する記憶手段と、上記記憶手段に記憶されている上記パケット送信プログラムを読み出す読み出し手段と、上記読み出し手段によって読み出されたパケット送信プログラムを上記パケット中継装置に送信するパケット送信プログラム送信手段とを備え、上記パケット中継装置は、上記端末装置にパケットを送信するパケット送信手段と、上記端末装置のパケット送信プログラム送信手段から送信されるパケット送信プログラムを受信するパケット送信プログラム受信手段と、上記パケット送信プログラム受信手段で受信したパケット送信プログラムに基づいて、上記パケット送信手段で送信されるパケットのスケジューリングを制御する制御手段を備えることを特徴とするネットワーク中継システム。
【請求項１５】
パケット中継装置と、端末装置とを備え、ネットワーク網に上記パケット中継装置を介して上記端末装置が接続されるネットワーク中継システムであって、上記端末装置は、上記パケット中継装置から送信される所定のパケットを受信するパケット受信手段と、上記パケット中継装置から上記パケット受信手段に送信される上記所定のパケットの送信スケジュールを規定するパケット送信プログラムを特定する識別子データを入力する入力手段と、上記入力手段によって入力された識別子データを上記パケット中継装置に送信する識別子データ送信手段とを備え、上記パケット中継装置は、上記端末装置にパケットを送信するパケット送信手段と、上記端末装置の識別子データ送信手段によって送信される識別子データを受信する識別子データ受信手段と、上記識別子データ受信手段で受信した識別子データで特定される上記パケット送信プログラムを取得するパケット送信プログラム取得手段と、上記パケット送信プログラム取得手段で取得したパケット送信プログラムに基づいて、上記パケット送信手段で送信されるパケットのスケジューリングを制御する制御手段を備えることを特徴とするネットワーク中継システム。
【請求項１６】
パケット中継装置と、端末装置とを備え、ネットワーク網に上記パケット中継装置を介して上記端末装置が接続されるネットワーク中継システムのパケット送信プログラム設定方法であって、上記端末装置は、上記記憶手段に記憶されている上記パケット中継装置から送信されるパケットの送信スケジュールを規定するパケット送信プログラムを読み出し、上記読み出されたパケット送信プログラムを上記パケット中継装置に送信し、上記パケット中継装置は、上記端末装置から送信されるパケット送信プログラムを受信し、上記受信したパケット送信プログラムに基づいて、上記端末装置に送信するパケットのスケジューリングを制御することを特徴とするパケット送信プログラム設定方法。
【請求項１７】
パケット中継装置と、端末装置とを備え、ネットワーク網に上記パケット中継装置を介して上記端末装置が接続されるネットワーク中継システムのパケット送信プログラム設定方法であって、上記端末装置は、上記パケット中継装置から送信される上記所定のパケットの送信スケジュールを規定するパケット送信プログラムを特定する識別子データを入力し、上記入力された識別子データを上記パケット中継装置に送信し、上記パケット中継装置は、上記端末装置によって送信される識別子データを受信し、上記受信した識別子データで特定される上記パケット送信プログラムを取得し、上記取得したパケット送信プログラムに基づいて、上記端末装置に送信されるパケットのスケジューリングを制御することを特徴とするパケット送信プログラム設定方法。